(57)【要約】【課題】アンテナが作動するときに、アンテナからタッチセンサー（タッチパネル用電極）に誘発されるノイズを適切に低減することができ、かつ、製造コストを低減させることができるタッチパネル用デバイスを実現する。【解決手段】タッチパネル付き表示装置は、共存導電層Ｌ＿Ｙ＿Ａｎｔと、Ｘ軸方向電極層Ｌ＿Ｘと、を備える。共存導電層Ｌ＿Ｙ＿Ａｎｔは、タッチパネル用の第１センサー電極パターンとアンテナパターンＡｎｔ＿ｐ１とを含む。Ｘ軸方向電極層Ｌ＿Ｘは、平面視において、第１センサー電極パターンと交差するように配置されるタッチパネル用の第２センサー電極パターンを含む。アンテナパターンＡｎｔ＿ｐ１と平行に設置されているセンス線には、ノイズ低減フィルタＮＲ１〜ＮＲ３が挿入されている。【選択図】図３
2017097504.tif 000002
【特許請求の範囲】
【請求項１】
第１電極パターンとアンテナパターンとを含む第１層と、
平面視において、前記第１電極パターンと交差するように配置される第２電極パターンを含む第２層と、
前記アンテナパターンにより、前記第１電極パターンもしくは前記第２電極パターンに発生するノイズを低減するノイズ低減フィルタと、
を備えるタッチパネル用デバイス。
【請求項２】
第１電極パターンとアンテナパターンとを含む第１層と、
平面視において、前記第１電極パターンと交差するように配置される第２電極パターンを含む第２層と、
を含むタッチパネルと
前記タッチパネルに駆動信号を与え、前記タッチパネルからの信号をセンス信号として取得し、取得した前記センス信号に基づいて、前記タッチパネル上のタッチ位置を検出するセンス信号検出回路と、
前記アンテナパターンにより、前記第１電極パターンもしくは前記第２電極パターンに発生するノイズを低減するノイズ低減フィルタと、
を含むコントローラと、
を備えるタッチパネル用デバイス。
【請求項３】
前記ノイズ低減フィルタは、
前記アンテナパターンから発生するノイズの周波数に基づいて決定された回路定数により周波数特性が決定されたフィルタである、
請求項１又は２に記載のタッチパネル用デバイス。
【請求項４】
前記ノイズ低減フィルタは、
平面視において、前記アンテナパターンと平行な位置に設置されている電極パターンを含む前記第１電極パターンまたは前記第２電極パターンから取得されたセンス信号に対して、ノイズ低減フィルタ処理を実行する、
請求項１から３のいずれかに記載のタッチパネル用デバイス。
【請求項５】
前記ノイズ低減フィルタは、
平面視において、前記アンテナパターンと平行な位置であり、かつ、前記アンテナパターンと隣接する位置に、設置されている電極パターンを含む前記第１電極パターンまたは前記第２電極パターンから取得されたセンス信号に対して、ノイズ低減フィルタ処理を実行する、
請求項１から３のいずれかに記載のタッチパネル用デバイス。
【請求項６】
前記ノイズ低減フィルタは、
選択信号に応じて、入力に対して、（１）ノイズ低減処理を実行し、ノイズ低減処理後の信号を出力するか、（２）ノイズ低減処理を実行せずに、入力を出力するか、のいずれかの処理を選択して実行するスイッチ機能付きノイズ低減フィルタである、
請求項２に記載のタッチパネル用デバイス。
【請求項７】
前記第１電極パターンは、センス電極として機能する電極パターンであり、
前記第１電極パターンには、複数のセンス線が接続されており、
前記スイッチ機能付きノイズ低減フィルタは、前記複数のセンス線のそれぞれに、接続されている、
請求項６に記載のタッチパネル用デバイス。
【請求項８】
前記コントローラは、
前記アンテナパターンと平行な位置であり、かつ、前記アンテナパターンと隣接する位置に、設置されている電極パターンを含む前記第１電極パターンに接続されているセンス線に接続されている前記スイッチ機能付きノイズ低減フィルタに対して、入力に対して、ノイズ低減処理を実行し、ノイズ低減処理後の信号を出力するように指示する前記選択信号を出力する、
請求項７に記載のタッチパネル用デバイス。
【請求項９】
前記第２電極パターンは、センス電極として機能する電極パターンであり、
前記第２電極パターンには、複数のセンス線が接続されており、
前記スイッチ機能付きノイズ低減フィルタは、前記複数のセンス線のそれぞれに、接続されている、
請求項６に記載のタッチパネル用デバイス。
【請求項１０】
前記コントローラは、
前記アンテナパターンと平行な位置であり、かつ、前記アンテナパターンと隣接する位置に、設置されている電極パターンを含む前記第２電極パターンに接続されているセンス線に接続されている前記スイッチ機能付きノイズ低減フィルタに対して、入力に対して、ノイズ低減処理を実行し、ノイズ低減処理後の信号を出力するように指示する前記選択信号を出力する、
請求項９に記載のタッチパネル用デバイス。
【発明の詳細な説明】
【技術分野】
【０００１】
本発明は、画像等を表示させるための領域（表示領域）に近距離無線通信用のアンテナパターンを備えるタッチパネル用デバイスに関する。
【背景技術】
【０００２】
近年、電源を含まず無線通信用のアンテナ素子を内蔵したＩＣカード（非接触型ＩＣカード）と、電源を備える通信装置との間において、ＩＣカードと通信装置とを接触させることなく、両者間で近距離通信を行う技術がよく用いられている。例えば、通信装置と非接触型ＩＣカードとの間において、無線通信（近距離通信）を行う場合、通信装置のアンテナ素子と、非接触型ＩＣカードとが所定の距離以下となるように、非接触型ＩＣカードを通信装置に近づける。通信装置は、電源を有しており、通信装置に内蔵されている近距離無線通信用アンテナ素子に給電することで、当該アンテナ素子により磁界が発生する。そして、非接触型ＩＣカードを通信装置に近づけることで、通信装置が発生させた磁界により、非接触型ＩＣカードのアンテナ素子に誘導電流が流れる。これにより、通信装置から非接触型ＩＣカードに電力供給することができる。そして、非接触型ＩＣカードは、誘導電流により発生した起電力を用いて、非接触型ＩＣカード内の回路（例えば、ＩＣチップ）を動作させる。このようにして、非接触型ＩＣカードを通信装置に近づけることで、非接触型ＩＣカードと通信装置との間において、無線通信（近距離通信）を行うことができる。
【０００３】
一般的に、アンテナ素子は、導電性を確保するために、導電率の高い金属（銅や銀）で形成されることが多い。このような金属は、光を透過しないので、画像や映像を表示する表示デバイスにおいて、その表示部にアンテナ素子を形成させると、画像や映像を形成する光が遮断されてしまう。
【０００４】
このような問題を解決するために、例えば、特許文献１には、メッシュ状のアンテナパターンを透明基材上に形成させ、アンテナ機能を実現させるための導電性と、透明性との両方を確保する技術が開示されている。
【先行技術文献】
【特許文献】
【０００５】
【特許文献１】特開２０１１−０６６６１０号公報
【発明の概要】
【発明が解決しようとする課題】
【０００６】
例えば、上記技術を用いて、タッチパネル付き表示装置に、アンテナを搭載しようとした場合、タッチパネル用のＸ軸方向センス電極を形成した第１電極層と、タッチパネル用のＹ軸方向センス電極（平面視でＸ軸方向センス電極と交差するように配置されるＹ軸方向センス電極）を形成した第２電極層と、アンテナパターンを形成したアンテナパターン用導電層と、を設けることで、タッチパネル付き表示装置を構成することが考えられる。
【０００７】
図１７は、上記技術を用いた場合のタッチパネル付き表示装置９００の概略構成図である。なお、図１７に示すように、Ｘ軸、Ｙ軸が設定されるものとする。
【０００８】
図１７の上図は、タッチパネル付き表示装置９００の平面図であり、図１７の下図は、Ａ−Ａ線によるＡ−Ａ断面図である。図１７の上図に示した領域ＡＲ１は、（画像等が表示される）表示領域（表示面）である。
【０００９】
図１７に示すように、タッチパネル付き表示装置９００は、筐体９１と、回路部９２と、表示パネルＤＰと、アンテナパターン用導電層Ｌ＿Ａｎｔと、第２電極層（Ｙ軸方向電極層）Ｌ＿Ｙと、第１電極層（Ｘ軸方向電極層）Ｌ＿Ｘと、カバー９４と、を備える。
【００１０】
図１８は、タッチパネル付き表示装置９００の第１電極層（Ｘ軸方向電極層）Ｌ＿Ｘの平面図（上図）と、タッチパネル付き表示装置９００の第２電極層（Ｙ軸方向電極層）Ｌ＿Ｙの平面図（中図）と、アンテナパターン用導電層Ｌ＿Ａｎｔの平面図（下図）と、を示した図である。
【００１１】
第１電極層（Ｘ軸方向電極層）Ｌ＿Ｘは、図１８に示すように、絶縁物質からなる基材（例えば、ＰＥＴ（ポリエチレンテレフタレート））上に形成された８個の導電パターンＥｘ１〜Ｅｘ８を備える。導電パターンＥｘ１〜Ｅｘ８は、それぞれ、横方向（Ｘ軸方向）に細長い形状を有する。
【００１２】
第２電極層（Ｙ軸方向電極層）Ｌ＿Ｙは、図１８に示すように、絶縁物質からなる基材（例えば、ＰＥＴ（ポリエチレンテレフタレート））上に形成された１４個の導電パターンＥｙ１〜Ｅｙ１４を備える。導電パターンＥｙ１〜Ｅｙ１４は、それぞれ、縦方向（Ｙ軸方向）に細長い形状を有する。
【００１３】
アンテナパターン用導電層Ｌ＿Ａｎｔは、図１８に示すように、絶縁物質からなる基材（例えば、ＰＥＴ（ポリエチレンテレフタレート））上に形成されたアンテナパターンＡｎｔを備える。アンテナパターンＡｎｔは、図１７に示すように、２つの端子Ｐ１、Ｐ２を有しており、端子Ｐ１、Ｐ２は、マッチング調整を行う整合部（例えば、マッチング調整回路）に接続される。
【００１４】
図１９は、タッチパネル付き表示装置９００の第１電極層（Ｘ軸方向電極層）Ｌ＿Ｘの等価回路を示す図と、タッチパネル付き表示装置９００の第２電極層（Ｙ軸方向電極層）Ｌ＿Ｙの等価回路を示す図と、アンテナパターン用導電層Ｌ＿Ａｎｔの等価回路を示す図と、表示パネルＤＰの等価回路を示す図と、を示した図である。なお、図１９のアンテナパターン用導電層Ｌ＿Ａｎｔの等価回路を示す図では、アンテナパターンＡｎｔの端点Ｐ１、Ｐ２に整合部Ｍ１が接続され、さらに、整合部Ｍ１にアンテナ駆動部ＡＤ１が接続されている。
【００１５】
このように、従来技術を用いて、タッチパネル付き表示装置９００を構成した場合、以下のような問題がある。
【００１６】
すなわち、従来技術を用いて、タッチパネル付き表示装置９００を構成した場合、アンテナパターンＡｎｔと第１電極層、第２電極層とは絶縁層で分離されているとはいえ比較的近い距離で構成されている。このため、タッチパネル付き表示装置９００において、アンテナパターンＡｎｔをアンテナとして機能させた場合、アンテナパターンＡｎｔがアンテナとして作動することで発生する電磁場により、第１電極層や第２電極層にノイズが発生する。このように、第１電極層や第２電極層が、アンテナパターンからの影響を受け、第１電極層や第２電極層にノイズが発生するという問題がある。
【００１７】
また、従来技術を用いて、タッチパネル付き表示装置９００を構成した場合、アンテナパターンＡｎｔを形成する導電層を別途設ける必要があるので、製造コストが高くなるという問題もある。
【００１８】
そこで、本発明は、上記問題点に鑑み、アンテナが作動するときに、アンテナからタッチセンサー（タッチパネル用電極）に誘発されるノイズを適切に低減し、かつ、製造コストを低減させることができるタッチパネル用デバイスを実現することを目的とする。
【課題を解決するための手段】
【００１９】
前記課題を解決するために、第１の構成は、第１層と、第２層と、ノイズ低減フィルタと、を備えるタッチパネル用デバイスである。
【００２０】
第１層は、第１電極パターンとアンテナパターンとを含む。
【００２１】
第２層は、平面視において、第１電極パターンと交差するように配置される第２電極パターンを含む。
【００２２】
ノイズ低減フィルタは、アンテナパターンにより、第１電極パターンもしくは第２電極パターンに発生するノイズを低減する。
【発明の効果】
【００２３】
本発明によれば、アンテナが作動するときに、アンテナからタッチセンサー（タッチパネル用電極）に誘発されるノイズを適切に低減し、かつ、製造コストを低減させることができるタッチパネル用デバイスを実現することができる。
【図面の簡単な説明】
【００２４】
【図１】第１実施形態に係るタッチパネル付き表示装置１００の概略構成図。
【図２】共存電極層Ｌ＿Ｙ＿Ａｎｔの平面図。
【図３】共存電極層Ｌ＿Ｙ＿Ａｎｔの平面図。
【図４】Ｘ軸方向電極層Ｌ＿Ｘの平面図。
【図５】ノイズ低減フィルタＮＲ１の構成の一例を示す図。
【図６】ノイズ低減フィルタＮＲ１の構成の一例を示す図。
【図７】図６のノイズ低減フィルタにおいて、Ｒ＝１０［ｋΩ］としたときの周波数特性と、Ｒ＝１［ｋΩ］としたときの周波数特性とを示す図。
【図８】ノイズ低減フィルタＮＲ１の構成の一例を示す図。
【図９】ノイズ低減フィルタＮＲ１の構成の一例を示す図。
【図１０】第１実施形態の第１変形例の共存電極層Ｌ＿Ｙ＿Ａｎｔの平面図（表示面の上方から見た平面図）の一部と、回路部２との一部の概略構成を模式的に示した図。
【図１１】第１実施形態の第１変形例のタッチパネルコントローラＴＣ１Ａの一部を模式的に示した図。
【図１２】第１実施形態の第２変形例のタッチパネルコントローラＴＣ１Ｂの一部を模式的に示した図。
【図１３】スイッチ付きノイズ低減フィルタＮＳ１の概略構成を示す図。
【図１４】第１実施形態の第３変形例のタッチパネルコントローラＴＣ１Ｃの一部を模式的に示した図。
【図１５】第１実施形態の第３変形例のタッチパネルコントローラＴＣ１Ｃの一部を模式的に示した図。
【図１６】図２の共存電極層Ｌ＿Ｙ＿Ａｎｔの平面図（表示面の上方から見た平面図）に、共存電極層Ｌ＿Ｙ＿Ａｎｔに形成されているアンテナパターンＡｎｔ＿ｐ１を重畳させて示した図。
【図１７】従来技術を用いた場合のタッチパネル付き表示装置９００の概略構成図。
【図１８】タッチパネル付き表示装置９００の第１電極層（Ｘ軸方向電極層）Ｌ＿Ｘの平面図（上図）と、タッチパネル付き表示装置９００の第２電極層（Ｙ軸方向電極層）Ｌ＿Ｙの平面図（中図）と、アンテナパターン用導電層Ｌ＿Ａｎｔの平面図（下図）と、を示した図。
【図１９】タッチパネル付き表示装置９００の第１電極層（Ｘ軸方向電極層）Ｌ＿Ｘの等価回路を示す図と、タッチパネル付き表示装置９００の第２電極層（Ｙ軸方向電極層）Ｌ＿Ｙの等価回路を示す図と、アンテナパターン用導電層Ｌ＿Ａｎｔの等価回路を示す図と、表示パネルＤＰの等価回路を示す図。
【発明を実施するための形態】
【００２５】
［第１実施形態］
第１実施形態について、図面を参照しながら、以下、説明する。
【００２６】
図１は、第１実施形態に係るタッチパネル付き表示装置１００（タッチパネル用デバイスの一例）の概略構成を模式的に示す図（一例）である。具体的には、図１は、タッチパネル付き表示装置１００の平面図（表示面の上方から見た平面図）（上図）と、Ａ−Ａ線によるＡ−Ａ断面図（下図）と、を示している。
【００２７】
タッチパネル付き表示装置１００は、図１に示すように、筐体１と、回路部２と、表示パネルＤＰと、共存導電層Ｌ＿Ｙ＿Ａｎｔ（アンテナパターンとＹ軸方向電極との共存導電層）と、Ｘ軸方向電極層Ｌ＿Ｘと、カバー３と、を備える。
【００２８】
図２は、共存電極層Ｌ＿Ｙ＿Ａｎｔの平面図（表示面の上方から見た平面図）である。
【００２９】
図３は、共存電極層Ｌ＿Ｙ＿Ａｎｔの平面図（表示面の上方から見た平面図）の一部と、回路部２との一部の概略構成を模式的に示した図である。
【００３０】
図４は、Ｘ軸方向電極層Ｌ＿Ｘの平面図（表示面の上方から見た平面図）である。
【００３１】
筐体１は、図１に示すように、回路基板や電池等を含む回路部２と、表示パネルＤＰ（例えば、液晶表示パネル装置）と、共存導電層Ｌ＿Ｙ＿Ａｎｔと、Ｘ軸方向電極層Ｌ＿Ｘとをその内部に収納することができるように構成されている。
【００３２】
また、筐体１は、図１に示すように、透明なカバー３（絶縁物質で形成されているカバー３）を装着することで、内部にゴミや埃等が進入することを防止する。
【００３３】
回路部２は、回路基板を含み、回路基板上に各種回路が構成されている。回路部２は、例えば、図３に示すように、整合部２１と、アンテナ駆動部２２とを含む。また、回路部２は、例えば、図３に示すように、タッチパネルコントローラＴＣ１と、ノイズ低減フィルタＮＲ１〜ＮＲ３とを含む。
【００３４】
タッチパネルコントローラＴＣ１は、図４に示す、Ｘ軸方向電極層Ｌ＿Ｘに形成されたＸ軸方向電極Ｅｘ１〜Ｅｘ８に対して、順次、ドライブ駆動信号を出力し、Ｘ軸方向電極Ｅｘ１〜Ｅｘ８と、図３に示すＹ軸方向電極Ｅｙ１１〜Ｅｙ４１、Ｅｙ２１〜Ｅｙ４２、Ｅｙ５〜Ｅｙ１４との間に電界を発生させる。そして、タッチパネルコントローラＴＣ１は、Ｙ軸方向電極Ｅｙ１１〜Ｅｙ４１、Ｅｙ２１〜Ｅｙ４２、Ｅｙ５〜Ｅｙ１４に接続されているセンス線（接続線）から、それぞれ、電界変化に対応する信号値を有するセンス信号を受信し、受信したセンス信号に基づいて、領域ＡＲ１（タッチパネル面）上で指やペン等でタッチされたタッチ点の位置を検知する。
【００３５】
また、回路部２は、例えば、表示パネルＤＰを制御するための表示パネル制御部（不図示）を含む。
【００３６】
ノイズ低減フィルタＮＲ１は、図３に示すように、ノイズ低減フィルタＮＲ１の入力端がＹ軸方向電極Ｅｙ１１、Ｅｙ１２に接続されている導線と接続されており、かつ、ノイズ低減フィルタＮＲ１の出力端がタッチパネルコントローラＴＣ１に接続されている導線に接続されている。
【００３７】
図３から分かるように、平面視において、Ｙ軸方向電極Ｅｙ１１は、アンテナパターンＡｎｔ＿ｐ１の一部（図３のＹ軸方向に延びる左端に配置されているアンテナパターンＡｎｔ＿ｐ１の部分）と平行に設置されている。このため、アンテナパターンＡｎｔ＿ｐ１がアンテナとして動作している場合、Ｙ軸方向電極Ｅｙ１１は、アンテナパターンＡｎｔ＿ｐ１から発生する電磁場の影響を受け、Ｙ軸方向電極Ｅｙ１１にノイズが発生しやすい。このようにして発生するノイズを低減するために、図３に示すように、Ｙ軸方向電極Ｅｙ１１、Ｅｙ１２とタッチパネルコントローラＴＣ１との間に、ノイズ低減フィルタＮＲ１が配置されている。これにより、アンテナパターンＡｎｔ＿ｐ１がアンテナとして駆動される場合に、Ｙ軸方向電極Ｅｙ１１、Ｅｙ１２から出力されるセンス信号に重畳されるノイズを、適切に低減することができる。
【００３８】
図５は、ノイズ低減フィルタＮＲ１の構成の一例を示す図である。
【００３９】
図５に示すノイズ低減フィルタＮＲ１は、並列に接続された、コイルＬと、コンデンサＣとから構成されている。
【００４０】
図５に示すノイズ低減フィルタＮＲ１のインピーダンスＺ（ＮＲ１）は、虚数単位をｊとし、コイルＬのインダクタンス値をＬとし、コンデンサＣの容量値をＣとし、角周波数をωとすると、
Ｚ（ＮＲ１）＝ｊωＬ／（１−ω×ω×ＬＣ）
により算出される。
【００４１】
したがって、Ｚ（ＮＲ１）は、
ｆ＝２πω＝１／ｓｑｒｔ（ＬＣ）
ｓｑｒｔ（ｘ）：ｘの平方根を取得する関数
のとき、最大値をとる。
【００４２】
例えば、アンテナパターンＡｎｔ＿ｐ１がアンテナとして動作するときの搬送周波数を１３．５６［ＭＨｚ］とすると、搬送周波数を１３．５６［ＭＨｚ］近傍の周波数を有するノイズが、Ｙ軸方向電極Ｅｙ１１、Ｅｙ１２に発生しやすい。
【００４３】
したがって、この場合、図５に示すノイズ低減フィルタＮＲ１のインピーダンスＺ（ＮＲ１）が、ｆ＝１３．５６［ＭＨｚ］で最大になるように、コイルＬのインダクタンス値Ｌ、および、コンデンサＣの容量値Ｃを設定することが好ましい。これにより、１３．５６［ＭＨｚ］の周波数を有するノイズ成分に対して、ノイズ低減フィルタＮＲ１のインピーダンスが最大となり、当該ノイズ成分が、Ｙ軸方向電極Ｅｙ１１、Ｅｙ１２から、タッチパネルコントローラＴＣ１へ通過することを適切に阻止することができる。
【００４４】
図５に示すノイズ低減フィルタＮＲ１において、例えば、
Ｌ＝１００［μＨ］
Ｃ＝１．３８［ｐＦ］
と設定することで、周波数が約１３．５６［ＭＨｚ］であるときに、ノイズ低減フィルタＮＲ１のインピーダンスを最大にすることができる。
【００４５】
また、１３．５６［ＭＨｚ］付近のより広い帯域の周波数成分のゲインを落としたい場合、例えば、図６に示すように、図５に示すノイズ低減フィルタに、さらに、抵抗Ｒを追加した構成にしてもよい。
【００４６】
図７に、図６のノイズ低減フィルタにおいて、Ｒ＝１０［ｋΩ］としたときの周波数特性と、Ｒ＝１［ｋΩ］としたときの周波数特性とを示す。
【００４７】
図７から分かるように、例えば、周波数が１０［ＭＨｚ］のノイズ成分のゲインを−１０［ｄＢ］以下にしたいときは、図６のノイズ低減フィルタにおいて、抵抗Ｒの抵抗値をＲ＝１［ｋΩ］に設定すればよい。
【００４８】
ノイズ低減フィルタＮＲ１の周波数特性は、タッチパネル付き表示装置１００の性能を確保しつつ、アンテナパターンＡｎｔ＿ｐ１がアンテナとして動作するときに、タッチパネル用の電極に発生するノイズを十分低減させることができるように、設定することが好ましい。
【００４９】
通常、タッチパネルコントローラＴＣからタッチパネルに供給されるゲート駆動信号の周波数、および、タッチパネルからタッチパネルコントローラＴＣに送信されるセンス信号の周波数は、アンテナパターンＡｎｔ＿ｐ１がアンテナとして動作するときの搬送波周波数（上記では、１３．５６［ＭＨｚ］）よりも十分低い。このため、ノイズ低減フィルタＮＲ１の周波数特性は、例えば、図７に示すように、タッチパネルコントローラＴＣからタッチパネルに供給されるゲート駆動信号、および、タッチパネルからタッチパネルコントローラＴＣに送信されるセンス信号のゲインが低下することなく、かつ、アンテナパターンＡｎｔ＿ｐ１がアンテナとして動作するときの搬送波周波数の近傍の周波数成分のノイズが十分低減されるように、設定されることが好ましい。つまり、ノイズ低減フィルタＮＲ１の周波数特性は、例えば、図７に示すように、周波数が１［ＭＨｚ］以下では、ゲインがほぼ低下することなく、かつ、周波数が１３．５６［ＭＨｚ］近傍では、ゲインが大きく低下するように、設定されることが好ましい。
【００５０】
また、ノイズ低減フィルタＮＲ１は、図５、図６に示した構成に限定されることはなく、他の構成としてもよい。
【００５１】
例えば、ノイズ低減フィルタＮＲ１を、図８の上図に示すように、抵抗Ｒ１とコンデンサＣ１とによるＬＰＦ（ローパスフィルタ）として構成するようにしてもよい。
【００５２】
この場合、ノイズ低減フィルタＮＲ１の周波数特性が、タッチパネルコントローラＴＣからタッチパネルに供給されるゲート駆動信号、および、タッチパネルからタッチパネルコントローラＴＣに送信されるセンス信号のゲインが低下することなく、かつ、アンテナパターンＡｎｔ＿ｐ１がアンテナとして動作するときの搬送波周波数の近傍の周波数成分のノイズが十分低減されるように、設定されることが好ましい。つまり、ノイズ低減フィルタＮＲ１の周波数特性は、タッチパネルの性能を十分確保することができ、かつ、アンテナパターンＡｎｔ＿ｐ１がアンテナとして動作するときの搬送波周波数の近傍の周波数成分のノイズが十分低減されるように、設定されることが好ましい。
【００５３】
そして、図８の上図のノイズ低減フィルタＮＲ１において、上記周波数特性が実現されるように、抵抗Ｒ１の抵抗値とコンデンサＣ１の容量値とを設定することが好ましい。
【００５４】
また、ノイズ低減フィルタＮＲ１を、図８の下図に示すように、コイルＬ２と抵抗Ｒ２とによるＬＰＦ（ローパスフィルタ）として構成するようにしてもよい。
【００５５】
この場合、ノイズ低減フィルタＮＲ１の周波数特性が、タッチパネルコントローラＴＣからタッチパネルに供給されるゲート駆動信号、および、タッチパネルからタッチパネルコントローラＴＣに送信されるセンス信号のゲインが低下することなく、かつ、アンテナパターンＡｎｔ＿ｐ１がアンテナとして動作するときの搬送波周波数の近傍の周波数成分のノイズが十分低減されるように、設定されることが好ましい。つまり、ノイズ低減フィルタＮＲ１の周波数特性は、タッチパネルの性能を十分確保することができ、かつ、アンテナパターンＡｎｔ＿ｐ１がアンテナとして動作するときの搬送波周波数の近傍の周波数成分のノイズが十分低減されるように、設定されることが好ましい。
【００５６】
そして、図８の下図のノイズ低減フィルタＮＲ１において、上記周波数特性が実現されるように、コイルＬ２のインダクタンス値と抵抗Ｒ２の抵抗値とを設定することが好ましい。
【００５７】
また、ノイズ低減フィルタＮＲ１を、図９に示すように、抵抗Ｒ３、コンデンサＣ３、および、コイルＬ３によるノッチフィルタとして構成するようにしてもよい。
【００５８】
この場合、ノイズ低減フィルタＮＲ１の周波数特性が、タッチパネルコントローラＴＣからタッチパネルに供給されるゲート駆動信号、および、タッチパネルからタッチパネルコントローラＴＣに送信されるセンス信号のゲインが低下することなく、かつ、アンテナパターンＡｎｔ＿ｐ１がアンテナとして動作するときの搬送波周波数の近傍の周波数成分のノイズが十分低減されるように、設定されることが好ましい。つまり、ノイズ低減フィルタＮＲ１の周波数特性は、タッチパネルの性能を十分確保することができ、かつ、アンテナパターンＡｎｔ＿ｐ１がアンテナとして動作するときの搬送波周波数の近傍の周波数成分のノイズが十分低減されるように、設定されることが好ましい。
【００５９】
そして、図９のノイズ低減フィルタＮＲ１において、上記周波数特性が実現されるように、抵抗Ｒ３の抵抗値、コンデンサＣ３の容量値、および、コイルＬ３のインダクタンス値を設定することが好ましい。例えば、アンテナパターンＡｎｔ＿ｐ１がアンテナとして動作するときの搬送波周波数をｆｃ［Ｈｚ］とし、コンデンサＣ３の容量値をＣ３とし、コイルＬ３のインダクタンス値をＬ３とすると、図９のＡ点とＧＮＤとの間のインピーダンスＺ１は、
Ｚ１＝１／ｊωＣ３＋ｊωＬ３
となる。
【００６０】
したがって、ｆ＝１／（２π×ｓｑｒｔ（Ｌ３×Ｃ３））のとき、Ｚ１＝０となる。
【００６１】
つまり、図９のノイズ低減フィルタＮＲ１において、
ｆｃ＝１／（２π×ｓｑｒｔ（Ｌ３×Ｃ３））
となるように、コンデンサＣ３の容量値、および、コイルＬ３のインダクタンス値を設定することで、搬送波周波数ｆｃと同じ周波数のノイズを効果的に低減させることができる。
【００６２】
また、図９のノイズ低減フィルタＮＲ１において、抵抗Ｒ３の抵抗値を調整することで、図９のノイズ低減フィルタＮＲ１の周波数特性を調整するようにしてもよい。
【００６３】
なお、ノイズ低減フィルタＮＲ１は、上記以外の構成のフィルタとしてもよい。
【００６４】
ノイズ低減フィルタＮＲ２は、図３に示すように、ノイズ低減フィルタＮＲ２の入力端がＹ軸方向電極Ｅｙ４１、Ｅｙ４２に接続されている導線と接続されており、かつ、ノイズ低減フィルタＮＲ２の出力端がタッチパネルコントローラＴＣ１に接続されている導線に接続されている。
【００６５】
ノイズ低減フィルタＮＲ２は、ノイズ低減フィルタＮＲ１と同様のものであり、上記でノイズ低減フィルタＮＲ１について説明したのと同様に、例えば、抵抗、コンデンサ、コイル等を用いて構成される。
【００６６】
ノイズ低減フィルタＮＲ３は、図３に示すように、ノイズ低減フィルタＮＲ３の入力端がＹ軸方向電極Ｅｙ５に接続されている導線と接続されており、かつ、ノイズ低減フィルタＮＲ３の出力端がタッチパネルコントローラＴＣ１に接続されている導線に接続されている。
【００６７】
ノイズ低減フィルタＮＲ３は、ノイズ低減フィルタＮＲ１と同様のものであり、上記でノイズ低減フィルタＮＲ１について説明したのと同様に、例えば、抵抗、コンデンサ、コイル等を用いて構成される。
【００６８】
整合部２１は、インピーダンス調整を行う回路（インピーダンス調整回路）等を備える。整合部２１のインピーダンス調整回路は、図３に示すように、共存導電層Ｌ＿Ｙ＿Ａｎｔに形成されているアンテナパターンＡｎｔ＿ｐ１と導線を介して接続されており、インピーダンス調整を行う。
【００６９】
アンテナ駆動部２２は、図３に示すように、整合部２１と接続されている。アンテナ駆動部２２は、整合部２１を介して、共存導電層Ｌ＿Ｙ＿Ａｎｔに形成されているアンテナパターンＡｎｔ＿ｐ１を駆動する。アンテナ駆動部２２は、所定の搬送波周波数に所定の変調方式による変調処理を行うことで生成したＲＦ信号を、整合部２１を介して、共存導電層Ｌ＿Ｙ＿Ａｎｔに形成されているアンテナパターンＡｎｔ＿ｐ１に出力する。また、アンテナ駆動部２２は、共存導電層Ｌ＿Ｙ＿Ａｎｔに形成されているアンテナパターンＡｎｔ＿ｐ１および整合部２１を介して受信したＲＦ信号に対して、所定の復調処理を実行し、受信したＲＦ信号に含まれる信号（データ等）を取得する。
【００７０】
表示パネルＤＰは、例えば、液晶や有機ＥＬ等を用いた表示パネル（液晶表示パネルや有機ＥＬ表示パネル）である。表示パネルＤＰは、表示パネル制御部（不図示）に接続されており、表示パネル制御部により、駆動制御される。表示パネルＤＰが表示パネル制御部により駆動制御されることで、表示パネルＤＰに、例えば、画像等が表示される。
【００７１】
表示パネルＤＰは、図１に示すように、断面視において、回路基板や電池等が収納されている回路部２と、透明なカバー３（例えば、透明なガラス等により形成されているカバー３）との間に、配置されている。
【００７２】
共存導電層Ｌ＿Ｙ＿Ａｎｔ（アンテナパターンとＹ軸方向電極との共存導電層）は、図１〜図３に示すように、絶縁物質からなる基材（例えば、ＰＥＴ（ポリエチレンテレフタレート））上に形成されたアンテナパターンＡｎｔ＿ｐ１と、Ｙ軸方向電極パターンＥｙ１〜Ｅｙ４１、Ｅｙ２１〜Ｅｙ４２、Ｅｙ５〜Ｅｙ１４と、を備える。Ｙ軸方向電極パターンＥｙ１〜Ｅｙ４１、Ｅｙ２１〜Ｅｙ４２、Ｅｙ５〜Ｅｙ１４は、図２に示すように、それぞれ、縦方向（Ｙ軸方向）に細長い形状を有する。そして、図２に示すように、Ｙ軸方向電極パターンＥｙ１１とＥｙ１２との間、Ｙ軸方向電極パターンＥｙ２１とＥｙ２２との間、Ｙ軸方向電極パターンＥｙ３１とＥｙ３２との間、および、Ｙ軸方向電極パターンＥｙ４１とＥｙ４２との間に、アンテナパターンＡｎｔ＿ｐ１のＸ軸方向への延設部が配置できる領域が設けられている。
【００７３】
ここで、図２の領域ＡＲ１内の白い領域（Ｙ方向電極が形成されていない領域）には、ダミーパターンが配置されていることが望ましい。このようにダミーパターンを配置することで、透過率を全面（表示面全面）で一定にし、タッチパネル付き表示装置１００の表示面を見たときに、タッチパネル用の電極パターンやアンテナ用の電極パターンが、視認されることを適切に防ぐことができる。
【００７４】
また、ダミーパターンは、電気的にフローティング状態にする、もしくは、ある一定の電位（例えば、ＧＮＤ電位）となるように電圧をかけた状態にする。なお、ダミーパターンは、ＧＮＤに接続されることが好ましい。
【００７５】
これは、アンテナパターン（アンテナ電極）がある領域とない領域において、Ｘ軸方向電極とＹ軸方向電極の交点容量を略等しくし、タッチパネル性能を向上させるためである。
【００７６】
また、ダミーパターンをＧＮＤ電位に接続することで、アンテナパターン（アンテナ電極）とタッチパネル用のＹ軸方向電極とのカップリング容量値を低減し、アンテナパターン（アンテナ電極）からＹ軸方向電極に伝搬されるアンテナノイズを抑制することができ、タッチパネル性能を高めることができる。
【００７７】
なお、前記のように構成する場合、ダミーパターンの幅（ＧＮＤ電位に接続するパターンの幅）は３００μｍ以上にすることが望ましい。
【００７８】
アンテナパターンＡｎｔ＿ｐ１は、例えば、ＩＴＯ等により形成される透明導電パターン（透明電極）である。また、アンテナパターンＡｎｔ＿ｐ１は、金属細線（例えば、銅）のメッシュパターンにより構成されるものであってもよい。このように、アンテナパターンＡｎｔ＿ｐ１を形成することで、アンテナパターンＡｎｔ＿ｐ１により光が遮断されないことを保証することができる（一定の光の透過性を確保することができる）。
【００７９】
Ｙ軸方向電極パターンＥｙ１〜Ｅｙ４１、Ｅｙ２１〜Ｅｙ４２、Ｅｙ５〜Ｅｙ１４は、例えば、ＩＴＯ等により形成される透明導電パターン（透明電極）である。また、Ｙ軸方向電極パターンＥｙ１〜Ｅｙ４１、Ｅｙ２１〜Ｅｙ４２、Ｅｙ５〜Ｅｙ１４は、金属細線（例えば、銅）のメッシュパターンにより構成されるものであってもよい。このように、Ｙ軸方向電極パターンＥｙ１〜Ｅｙ４１、Ｅｙ２１〜Ｅｙ４２、Ｅｙ５〜Ｅｙ１４を形成することで、Ｙ軸方向電極パターンＥｙ１〜Ｅｙ４１、Ｅｙ２１〜Ｅｙ４２、Ｅｙ５〜Ｅｙ１４により光が遮断されないことを保証することができる（一定の光の透過性を確保することができる）。
【００８０】
図２、図３に示すように、Ｙ軸方向電極パターンＥｙ１１に接続されている導線と、Ｙ軸方向電極パターンＥｙ１２に接続されている導線とは、接点ｐ１により接続されており、Ｙ軸方向電極パターンＥｙ１１とＥｙ１２とは、電気的に接続されている。そして、Ｙ軸方向電極パターンＥｙ１１とＥｙ１２とは、図３に示すように、タッチパネルコントローラＴＣ１に接続されている。
【００８１】
図２、図３に示すように、Ｙ軸方向電極パターンＥｙ２１に接続されている導線と、Ｙ軸方向電極パターンＥｙ２２に接続されている導線とは、接点ｐ２により接続されており、Ｙ軸方向電極パターンＥｙ２１とＥｙ２２とは、電気的に接続されている。そして、Ｙ軸方向電極パターンＥｙ２１とＥｙ２２とは、図３に示すように、タッチパネルコントローラＴＣ１に接続されている。
【００８２】
図２、図３に示すように、Ｙ軸方向電極パターンＥｙ３１に接続されている導線と、Ｙ軸方向電極パターンＥｙ３２に接続されている導線とは、接点ｐ３により接続されており、Ｙ軸方向電極パターンＥｙ３１とＥｙ３２とは、電気的に接続されている。そして、Ｙ軸方向電極パターンＥｙ３１とＥｙ３２とは、図３に示すように、タッチパネルコントローラＴＣ１に接続されている。
【００８３】
図２、図３に示すように、Ｙ軸方向電極パターンＥｙ４１に接続されている導線と、Ｙ軸方向電極パターンＥｙ４２に接続されている導線とは、接点ｐ４により接続されており、Ｙ軸方向電極パターンＥｙ４１とＥｙ４２とは、電気的に接続されている。そして、Ｙ軸方向電極パターンＥｙ４１とＥｙ４２とは、図３に示すように、タッチパネルコントローラＴＣ１に接続されている。
【００８４】
図２、図３に示すように、Ｙ軸方向電極パターンＥｙ５〜Ｅｙ１４は、それぞれ、導線を介して、タッチパネルコントローラＴＣ１に接続されている。
【００８５】
アンテナパターンＡｎｔ＿ｐ１は、図２に示すように、平面視で、長方形の３辺からなる形状を有しており、Ｙ軸方向電極パターンＥｙ１２〜Ｅｙ４２を囲むように、配置されている。アンテナパターンＡｎｔ＿ｐ１は、図２、図３に示すように、導線（又は導電パターン）を介して、整合部２１に接続されている。
【００８６】
なお、アンテナパターンＡｎｔ＿ｐ１に沿うように、ＧＮＤ電極パターンを設けるようにしてもよい。
【００８７】
Ｘ軸方向電極層Ｌ＿Ｘは、図４に示すように、絶縁物質からなる基材（例えば、ＰＥＴ（ポリエチレンテレフタレート））上に形成されたＸ軸方向電極パターンＥｘ１〜Ｅｘ８を備える。
【００８８】
Ｘ軸方向電極パターンＥｘ１〜Ｅｘ８は、例えば、ＩＴＯ等により形成される透明導電パターン（透明電極）である。また、Ｘ軸方向電極パターンＥｘ１〜Ｅｘ８は、金属細線（例えば、銅）のメッシュパターンにより構成されるものであってもよい。このように、Ｘ軸方向電極パターンＥｘ１〜Ｅｘ８を形成することで、Ｘ軸方向電極パターンＥｘ１〜Ｅｘ８により光が遮断されないことを保証することができる（一定の光の透過性を確保することができる）。
【００８９】
Ｘ軸方向電極パターンＥｘ１〜Ｅｘ８は、図４に示すように、それぞれ、横方向（Ｘ軸方向）に細長い形状を有する。そして、図４に示すように、Ｘ軸方向電極パターンＥｘ１〜Ｅｘ８は、それぞれ、導線を介して、タッチパネルコントローラＴＣ１に接続される。タッチパネルコントローラＴＣ１は、Ｘ軸方向電極パターンＥｘ１〜Ｅｘ８を順次駆動するためのゲート駆動信号により、順次、Ｘ軸方向電極パターンＥｘ１〜Ｅｘ８にゲート駆動信号を出力する。これにより、Ｘ軸方向電極パターンＥｘ１〜Ｅｘ８と、Ｙ軸方向電極パターンＥｙ１１〜Ｅｙ４１、Ｅｙ１２〜Ｅｙ４２、Ｅｙ５〜Ｅｙ１４との間に電界を発生させることができる。そして、タッチパネルコントローラＴＣ１が、Ｙ軸方向電極パターンＥｙ１１〜Ｅｙ４１、Ｅｙ１２〜Ｅｙ４２、Ｅｙ５〜Ｅｙ１４に接続されている導線を介して、センス信号を受信し、当該センス信号の信号値を調べることで、タッチパネル面上のタッチ点（電界が変化している部分）を検知することができる。
【００９０】
カバー３は、透明な絶縁物質で形成されている。カバー３は、図１に示すように、筐体１に装着することで、タッチパネル付き表示装置１００の内部にゴミや埃等が進入することを防止する。
【００９１】
以上のように、タッチパネル付き表示装置１００では、平面視において、アンテナパターンＡｎｔ＿ｐ１と平行に設置されているＹ軸方向電極パターン（図３のＹ軸方向電極パターンＥｙ１２、Ｅｙ４２、Ｅｙ５）とタッチパネルコントローラＴＣ１との間に、ノイズ低減フィルタが挿入されている。これにより、タッチパネル付き表示装置１００では、アンテナが作動するときに、アンテナ（アンテナパターン）からタッチセンサー（タッチパネル用電極）に誘発されるノイズを適切に低減することができる。
【００９２】
また、タッチパネル付き表示装置１００では、共存導電層Ｌ＿Ｙ＿Ａｎｔに、アンテナパターンと、タッチパネル用のＹ軸方向電極パターンとの両方を形成しているので、従来技術を適用した場合のように、別途、アンテナパターンを形成するための層を設ける必要がない。したがって、製造コストを低減させることができる。
【００９３】
なお、上記では、アンテナパターンＡｎｔ＿ｐ１と平行に設置されているＹ軸方向電極パターンであって、アンテナパターンＡｎｔ＿ｐ１を挟む２つのＹ軸方向電極パターン（図３の場合のＹ軸方向電極パターンＥｙ４２、Ｅｙ５）の両方に、ノイズ低減フィルタを挿入する場合について、説明したが、これに限定さえることはない。例えば、アンテナパターンＡｎｔ＿ｐ１と平行に設置されているＹ軸方向電極パターンであって、アンテナパターンＡｎｔ＿ｐ１を挟む２つのＹ軸方向電極パターン（図３の場合のＹ軸方向電極パターンＥｙ４２、Ｅｙ５）のいずれか一方（図３の場合のＹ軸方向電極パターンＥｙ４２またはＥｙ５）にのみノイズ低減フィルタを挿入するようにしてもよい。
【００９４】
また、タッチパネル付き表示装置１００に搭載されるアンテナ（アンテナパターン）の形状（例えば、ループの大きさ、巻き数）により発生するノイズの周波数が推定できるので、ＮＲフィルタの回路定数を、タッチパネル付き表示装置１００に搭載されるアンテナ（アンテナパターン）の形状（例えば、ループの大きさ、巻き数）に基づいて、決定するようにしてもよい。
【００９５】
また、上記では、ノイズ低減フィルタが、回路部２に配置されている場合について、説明したが、これに限定されることはない。例えば、ノイズ低減フィルタは、タッチパネルと回路部とを接続する中継基板やフレキシブル基板上に配置されるものであってもよい。
【００９６】
≪第１変形例≫
次に、第１実施形態の第１変形例について、説明する。
【００９７】
なお、上記実施形態と同様の部分については、同一符号を付し、詳細な説明を省略する。
【００９８】
本変形例のタッチパネル付き表示装置では、第１実施形態のタッチパネル付き表示装置１００において、回路部２に設置されていたノイズ低減フィルタＮＲ１〜ＮＲ３が、タッチパネルコントローラ内に設置されている。本変形例のタッチパネル付き表示装置は、この点のみが、第１実施形態のタッチパネル付き表示装置１００と相違する。
【００９９】
図１０は、第１実施形態の第１変形例の共存電極層Ｌ＿Ｙ＿Ａｎｔの平面図（表示面の上方から見た平面図）の一部と、回路部２との一部の概略構成を模式的に示した図である。
【０１００】
図１１は、第１実施形態の第１変形例のタッチパネルコントローラＴＣ１Ａの一部を模式的に示した図である。なお、図１１では、説明に必要な部分のみを図示している。
【０１０１】
図１０に示すように、本変形例のタッチパネル付き表示装置では、第１実施形態のタッチパネル付き表示装置１００において、タッチパネルコントローラＴＣ１を、タッチパネルコントローラＴＣ１Ａに置換した構成を有している。
【０１０２】
タッチパネルコントローラＴＣ１Ａは、図１１に示すように、センス信号を検出するセンス信号検出回路ＴＣ１１と、ノイズ低減フィルタＮＲ１〜ＮＲ３とを備える。
【０１０３】
ノイズ低減フィルタＮＲ１は、図１１に示すように、センス信号検出回路ＴＣ１１と、Ｙ軸方向電極パターンＥｙ１１、Ｅｙ１２との間に設置されている。
【０１０４】
ノイズ低減フィルタＮＲ２は、図１１に示すように、センス信号検出回路ＴＣ１１と、Ｙ軸方向電極パターンＥｙ４１、Ｅｙ４２との間に設置されている。
【０１０５】
ノイズ低減フィルタＮＲ３は、図１１に示すように、センス信号検出回路ＴＣ１１と、Ｙ軸方向電極パターンＥｙ５との間に設置されている。
【０１０６】
以上のように、本変形例のタッチパネル付き表示装置では、ノイズ低減フィルタを内蔵するタッチパネルコントローラＴＣ１Ａを有しており、第１実施形態と同様に、アンテナが作動するときに、アンテナからタッチセンサー（タッチパネル用電極）に誘発されるノイズを適切に低減し、かつ、製造コストを低減させることができるタッチパネル用デバイスを実現することができる。
【０１０７】
≪第２変形例≫
次に、第１実施形態の第２変形例について、説明する。
【０１０８】
なお、上記実施形態（変形例を含む）と同様の部分については、同一符号を付し、詳細な説明を省略する。
【０１０９】
図１２は、第１実施形態の第２変形例のタッチパネルコントローラＴＣ１Ｂの一部を模式的に示した図である。なお、図１２では、説明に必要な部分のみを図示している。
【０１１０】
本変形例のタッチパネル付き表示装置では、第１実施形態の第１変形例のタッチパネルコントローラＴＣ１Ａを、図１２のタッチパネルコントローラＴＣ１Ｂに置換した構成を有している。本変形例のタッチパネル付き表示装置は、この点のみが、第１実施形態の第１変形例のタッチパネル付き表示装置と相違する。
【０１１１】
タッチパネルコントローラＴＣ１Ｂは、図１２に示すように、センス信号検出回路ＴＣ１１と、各Ｙ軸方向電極パターンとを接続する線の全てに、スイッチ付きノイズ低減フィルタＮＳ１〜ＮＳ１４が挿入されている。
【０１１２】
図１３は、スイッチ付きノイズ低減フィルタＮＳ１の概略構成を示す図である。
【０１１３】
スイッチ付きノイズ低減フィルタＮＳ１は、図１３に示すように、セレクタＳＥＬ１と、ノイズ低減フィルタＮＲ１とを備える。
【０１１４】
セレクタＳＥＬ１は、タッチパネルコントローラＴＣ１Ｂの制御部（不図示）からの選択信号ＳＷ１を入力し、当該選択信号ＳＷ１に基づいて、入力の出力先を切り替える。具体的には、スイッチ付きノイズ低減フィルタＮＳ１が、アンテナパターンＡｎｔ＿ｐ１と平行して配置されているＹ軸方向電極と接続されている場合、タッチパネルコントローラＴＣ１Ｂの制御部は、選択信号ＳＷ１の信号値を「１」として、セレクタＳＥＬ１に出力する。
【０１１５】
セレクタＳＥＬ１は、上記選択信号に基づいて、入力が、ノイズ低減フィルタＮＲ１側に出力するように選択処理を実行する。これにより、Ｙ軸方向電極Ｅｙ１１、Ｅｙ１２からのセンス信号は、ノイズ低減フィルタＮＲ１を通過し、当該センス信号に重畳されているノイズ（アンテナパターンＡｎｔ＿ｐ１から誘発されるノイズ）が、ノイズ低減フィルタＮＲ１により低減される。その結果、ノイズ（アンテナパターンＡｎｔ＿ｐ１から誘発されるノイズ）が低減あれたセンス信号が、スイッチ付きノイズ低減フィルタＮＳ１から、センス信号検出回路ＴＣ１１に出力される。
【０１１６】
スイッチ付きノイズ低減フィルタＮＳ２〜ＮＳ１４は、スイッチ付きノイズ低減フィルタＮＳ１と同様のものである。
【０１１７】
そして、タッチパネルコントローラＴＣ１Ｂの制御部から、スイッチ付きノイズ低減フィルタＮＳ２〜ＮＳ１４のそれぞれに対して、選択信号を出力する。なお、説明便宜のため、タッチパネルコントローラＴＣ１Ｂの制御部から、スイッチ付きノイズ低減フィルタＮＳ２〜ＮＳ１４に出力される選択信号を、それぞれ、選択信号ＳＷ２〜ＳＷ１４とする。
【０１１８】
スイッチ付きノイズ低減フィルタＮＳ２〜ＮＳ１４は、それぞれ、入力された選択信号ＳＷ２〜ＳＷ１４に基づいて、（１）ノイズ低減フィルタを通過させたセンス信号、および、（２）ノイズ低減フィルタを通過させないセンス信号のいずれか一方を選択して、センス信号検出回路ＴＣ１１に出力する。
【０１１９】
図２に示すように、アンテナパターンＡｎｔ＿ｐ１と平行に設置されているＹ軸方向電極がＥｙ１２、Ｅｙ４２、Ｅｙ５である場合、タッチパネルコントローラＴＣ１Ｂの制御部は、スイッチ付きノイズ低減フィルタＮＳ１、ＮＳ４、ＮＳ５において、ノイズ低減フィルタを通過させたセンス信号が、センス信号検出回路ＴＣ１１に出力されるように、選択信号ＳＷ１、ＳＷ４、ＳＷ５の信号値を「１」にして、それぞれ、スイッチ付きノイズ低減フィルタＮＳ１、ＮＳ４、ＮＳ５に出力する。
【０１２０】
そして、スイッチ付きノイズ低減フィルタＮＳ１、ＮＳ４、ＮＳ５以外のスイッチ付きノイズ低減フィルタＮＳ２、ＮＳ３、ＮＳ６〜ＮＳ１４において、ノイズ低減フィルタを通過させないセンス信号が、センス信号検出回路ＴＣ１１に出力されるように、選択信号ＳＷ２、ＳＷ３、ＳＷ６〜ＳＷ１４の信号値を「０」にして、それぞれ、スイッチ付きノイズ低減フィルタＮＳ２、ＮＳ３、ＮＳ６〜ＮＳ１４に出力する。
【０１２１】
本変形例のタッチパネル付き表示装置において、上記のように処理することで、アンテナパターンＡｎｔ＿ｐ１と平行に設置されているＹ軸方向電極からのセンス信号において、アンテナパターンＡｎｔ＿ｐ１から誘発されるノイズを適切に低減させることができる。
【０１２２】
また、本変形例のタッチパネル付き表示装置では、全てのセンス線（Ｙ軸方向電極に接続する線）に、スイッチ付きノイズ低減フィルタが挿入されているので、アンテナパターンＡｎｔ＿ｐ１と平行に設置されているＹ軸方向電極の配置に応じて、ノイズ低減フィルタを施すセンス線（センス信号）を選択（設定）することができる。その結果、本変形例のタッチパネル付き表示装置では、アンテナパターンがどこに配置されていても、適切に、アンテナパターンから誘発されるノイズを低減させたセンス信号を、センス信号検出回路に入力させることができる。
【０１２３】
≪第３変形例≫
次に、第１実施形態の第３変形例について、説明する。
【０１２４】
なお、上記実施形態（変形例を含む）と同様の部分については、同一符号を付し、詳細な説明を省略する。
【０１２５】
図１４、図１５は、第１実施形態の第３変形例のタッチパネルコントローラＴＣ１Ｃの一部を模式的に示した図である。なお、図１４では、説明に必要な部分のみを図示している。
【０１２６】
本変形例のタッチパネル付き表示装置では、第１実施形態の第２変形例のタッチパネルコントローラＴＣ１Ｂを、図１４のタッチパネルコントローラＴＣ１Ｃに置換した構成を有している。本変形例のタッチパネル付き表示装置は、この点のみが、第１実施形態の第２変形例のタッチパネル付き表示装置と相違する。
【０１２７】
タッチパネルコントローラＴＣ１Ｃは、図１３に示すように、センス信号検出回路ＴＣ１１と、ドライブ線を駆動する駆動回路ＴＣ１２と、ドライブ／センス切替回路ＴＣ１３とを備える。
【０１２８】
また、センス信号検出回路ＴＣ１１に入力されるセンス線のそれぞれに、スイッチ付きノイズ低減フィルタＮＳ１〜ＮＳ１４が挿入されている。
【０１２９】
ドライブ／センス切替回路ＴＣ１３は、（１）駆動回路ＴＣ１２のドライブ線Ｄ１〜Ｄ１４、および、センス信号検出回路のセンス線Ｓ１〜Ｓ１４と、（２）Ｘ軸方向電極Ｅｘ１〜Ｅｘ８に接続される線ｘ１〜ｘ８、および、Ｙ軸方向電極Ｅｙ１１（Ｅｙ１２）、Ｅｙ２１（Ｅｙ２２）、Ｅｙ３１（Ｅｙ３２）、Ｅｙ４１（Ｅｙ４２）、Ｅｙ５〜Ｅｘ１４に接続される線ｙ１〜ｙ１４との接続を切り替える回路である。
【０１３０】
以下では、（Ａ）Ｘ軸方向電極をドライブ電極とし、Ｙ軸方向電極をセンス電極とする場合（図１４の場合）、および、（Ｂ）Ｙ軸方向電極をドライブ電極とし、Ｘ軸方向電極をセンス電極とする場合（図１５の場合）について、説明する。
【０１３１】
≪（Ａ）Ｘ軸方向電極をドライブ電極とし、Ｙ軸方向電極をセンス電極とする場合（図１４の場合）≫
まず、Ｘ軸方向電極をドライブ電極とし、Ｙ軸方向電極をセンス電極とする場合（図１４の場合）について、説明する。
【０１３２】
図１４は、Ｘ軸方向電極をドライブ電極とし、Ｙ軸方向電極をセンス電極とする場合を説明するための図である。
【０１３３】
この場合、ドライブ／センス切替回路ＴＣ１３は、ドライブ線Ｄ１〜Ｄ８が、それぞれ、Ｘ軸方向電極Ｅｘ１〜Ｅｘ８に接続される線ｘ１〜ｘ８に接続されるようにする。
【０１３４】
また、ドライブ／センス切替回路ＴＣ１３は、センス線Ｓ１〜Ｓ１４が、それぞれ、スイッチ付きノイズ低減フィルタＮＳ１〜ＮＳ１４を介して、Ｙ軸方向電極Ｅｙ１１（Ｅｙ１２）、Ｅｙ２１（Ｅｙ２２）、Ｅｙ３１（Ｅｙ３２）、Ｅｙ４１（Ｅｙ４２）、Ｅｙ５〜Ｅｘ１４に接続される線ｙ１〜ｙ１４に接続されるようにする。
【０１３５】
なお、図１４において、センス線Ｓ１〜Ｓ１４には、それぞれ、第１実施形態の第２変形例で示したタッチパネルコントローラＴＣ１Ｂと同様に、スイッチ付きノイズ低減フィルタＮＳ１〜ＮＳ１４が接続されている。
【０１３６】
ドライブ／センス切替回路ＴＣ１３により、上記のように接続することで、Ｘ軸方向電極Ｅｘ１〜Ｅｘ８を、ドライブ電極とし、Ｙ軸方向電極Ｅｙ１１（Ｅｙ１２）、Ｅｙ２１（Ｅｙ２２）、Ｅｙ３１（Ｅｙ３２）、Ｅｙ４１（Ｅｙ４２）、Ｅｙ５〜Ｅｘ１４をセンス電極とすることができる。
【０１３７】
そして、タッチパネルコントローラＴＣ１Ｃは、センス線Ｓ１に接続されているスイッチ付きノイズ低減フィルタＮＳ１、センス線Ｓ４に接続されているスイッチ付きノイズ低減フィルタＮＳ４、および、センス線Ｓ５に接続されているスイッチ付きノイズ低減フィルタＮＳ５において、入力に対してＮＲ低減フィルタが施されるように制御する。
【０１３８】
これにより、本変形例のタッチパネル付き表示装置においても、アンテナパターンＡｎｔ＿ｐ１と平行に配置されているセンス電極からのセンス信号において、アンテナパターンＡｎｔ＿ｐ１からのノイズを適切に低減させることができる。
【０１３９】
≪（Ｂ）Ｙ軸方向電極をドライブ電極とし、Ｘ軸方向電極をセンス電極とする場合（図１５の場合）≫
つぎに、Ｙ軸方向電極をドライブ電極とし、Ｘ軸方向電極をセンス電極とする場合（図１５の場合）について、説明する。
【０１４０】
図１５は、Ｙ軸方向電極をドライブ電極とし、Ｘ軸方向電極をセンス電極とする場合を説明するための図である。
【０１４１】
この場合、ドライブ／センス切替回路ＴＣ１３は、ドライブ線Ｄ１〜Ｄ１４が、それぞれ、Ｙ軸方向電極Ｅｙ１１（Ｅｙ１２）、Ｅｙ２１（Ｅｙ２２）、Ｅｙ３１（Ｅｙ３２）、Ｅｙ４１（Ｅｙ４２）、Ｅｙ５〜Ｅｘ１４に接続される線ｙ１〜ｙ１４に接続されるようにする。
【０１４２】
また、ドライブ／センス切替回路ＴＣ１３は、センス線Ｓ１〜Ｓ８が、それぞれ、スイッチ付きノイズ低減フィルタＮＳ１〜ＮＳ１４を介して、Ｘ軸方向電極Ｅｘ１〜Ｅｘ８に接続される線ｘ１〜ｘ８に接続されるようにする。
【０１４３】
なお、図１５において、センス線Ｓ１〜Ｓ１４には、それぞれ、第１実施形態の第２変形例で示したタッチパネルコントローラＴＣ１Ｂと同様に、スイッチ付きノイズ低減フィルタＮＳ１〜ＮＳ１４が接続されている。
【０１４４】
ドライブ／センス切替回路ＴＣ１３により、上記のように接続することで、Ｙ軸方向電極Ｅｙ１１（Ｅｙ１２）、Ｅｙ２１（Ｅｙ２２）、Ｅｙ３１（Ｅｙ３２）、Ｅｙ４１（Ｅｙ４２）、Ｅｙ５〜Ｅｘ１４を、ドライブ電極とし、Ｘ軸方向電極Ｅｘ１〜Ｅｘ８をセンス電極とすることができる。
【０１４５】
そして、タッチパネルコントローラＴＣ１Ｃは、センス線Ｓ４に接続されているスイッチ付きノイズ低減フィルタＮＳ４、および、センス線Ｓ５に接続されているスイッチ付きノイズ低減フィルタＮＳ５において、入力に対してＮＲ低減フィルタが施されるように制御する。
【０１４６】
図１６は、図２の共存電極層Ｌ＿Ｙ＿Ａｎｔの平面図（表示面の上方から見た平面図）に、共存電極層Ｌ＿Ｙ＿Ａｎｔに形成されているアンテナパターンＡｎｔ＿ｐ１を重畳させて示した図である。
【０１４７】
図１６から分かるように、平面視において、Ｘ軸方向電極Ｅｘ４およびＥｘ５が、アンテナパターンＡｎｔ＿ｐ１と平行に配置されている部分を含む。したがって、Ｘ軸方向電極Ｅｘ４およびＥｘ５において、アンテナパターンＡｎｔ＿ｐ１からのノイズが誘発されやすい。このため、Ｘ軸方向電極Ｅｘ４およびＥｘ５により取得されるセンス信号に対して、ノイズ低減フィルタによる処理を行うのが効果的である。
【０１４８】
したがって、上記の通り、スイッチ付きノイズ低減フィルタＮＳ４、ＮＳ５において、タッチパネルコントローラＴＣ１Ｃは、入力に対してＮＲ低減フィルタが施されるように制御する。これにより、Ｘ軸方向電極Ｅｘ４およびＥｘ５により取得されるセンス信号に対して、ノイズ低減フィルタによる処理が実行される。
【０１４９】
このように、本変形例のタッチパネル付き表示装置においても、アンテナパターンＡｎｔ＿ｐ１と平行に配置されているセンス電極からのセンス信号において、アンテナパターンＡｎｔ＿ｐ１からのノイズを適切に低減させることができる。
【０１５０】
［他の実施形態］
上記実施形態（変形例を含む）のタッチパネル付き表示装置において、アンテナパターンとタッチパネル用のＹ軸方向電極パターンとが共存する層を設ける場合について説明したが、これに限定されることはなく、アンテナパターンとタッチパネル用のＸ軸方向電極パターンとが共存する層を設けるようにしてもよい。
【０１５１】
また、タッチパネル用のＸ軸方向電極パターンが形成される層と、タッチパネル用のＹ軸方向電極パターンが形成される層との両方の層において、アンテナパターンを形成するようにしてもよい。
【０１５２】
また、上記実施形態（変形例を含む）において、アンテナパターンが１つのみ形成されている場合について説明したが、これに限定されることはなく、複数のアンテナパターンを、タッチパネル用のＸ軸方向電極パターンが形成されている層、および／または、タッチパネル用のＹ軸方向電極パターンが形成されている層に、形成するようにしてもよい。
【０１５３】
このような場合においても、アンテナパターンと平行に配置されているＸ軸方向電極、および／または、Ｙ軸方向電極からのセンス信号に、ノイズ低減フィルタが施されるように、ノイズ低減フィルタを設けるようにしてもよい。
【０１５４】
また、上記の場合において、全てのセンス線にスイッチ付きノイズ低減フィルタを挿入し、アンテナパターンと平行に配置されているＸ軸方向電極、および／または、Ｙ軸方向電極からのセンス信号に、スイッチ付きノイズ低減フィルタで、ノイズ低減フィルタが施されるように、タッチパネルコントローラが制御するようにしてもよい。
【０１５５】
また、上記実施形態（変形例を含む）におけるドライブ線の数、センス線の数は、一例であり、他の数であってもよい。また、Ｘ軸方向電極の数、形状や、Ｙ軸方向電極の数、形状は、上記に限定されない。
【０１５６】
また、上記実施形態（変形例を含む）の一部または全部を組み合わせて、タッチパネル付き表示装置を実現するようにしてもよい。
【０１５７】
また、上記実施形態（変形例を含む）において、構成部材のうち、上記実施形態に必要な主要部材のみを簡略化して示している。したがって、上記実施形態（変形例を含む）において明示されなかった任意の構成部材を備えうる。また、上記実施形態（変形例を含む）および図面において、各部材の寸法は、必ずしも実際の寸法および寸法比率等を忠実に表しているわけではない。したがって、本発明の趣旨を逸脱しない範囲で寸法や寸法比率等の変更は可能である。
【０１５８】
なお、本発明の具体的な構成は、前述の実施形態に限られるものではなく、発明の要旨を逸脱しない範囲で種々の変更および修正が可能である。
【０１５９】
［付記］
なお、本発明は、以下のようにも表現することができる。
【０１６０】
第１の発明は、第１層と、第２層と、ノイズ低減フィルタと、を備えるタッチパネル用デバイスである。
【０１６１】
第１層は、第１電極パターンとアンテナパターンとを含む。
【０１６２】
第２層は、平面視において、第１電極パターンと交差するように配置される第２電極パターンを含む。
【０１６３】
ノイズ低減フィルタは、アンテナパターンにより、第１電極パターンもしくは第２電極パターンに発生するノイズを低減する。
【０１６４】
このタッチパネル用デバイスは、ノイズ低減フィルタを備えているので、アンテナパターンから、第１電極パターン、および／または、第２電極パターンに誘発されるノイズを低減させることができる。
【０１６５】
なお、「ノイズ低減フィルタ」とは、ノイズ成分を低減するフィルタであり、例えば、ＬＰＦ（ローパスフィルタ）やノッチフィルタや特定の周波数帯域の成分を低減させるフィルタを含む概念であるである。
【０１６６】
第２の発明は、タッチパネルと、コントローラとを備えるタッチパネル用デバイスである。
【０１６７】
タッチパネルは、第１層と、第２層と、を含む。
【０１６８】
第１層は、第１電極パターンとアンテナパターンとを含む。
【０１６９】
第２層は、平面視において、第１電極パターンと交差するように配置される第２電極パターンを含む。
【０１７０】
コントローラは、センス信号検出回路と、ノイズ低減フィルタと、を含む。
【０１７１】
センス信号検出回路は、タッチパネルに駆動信号を与え、タッチパネルからの信号をセンス信号として取得し、取得したセンス信号に基づいて、タッチパネル上のタッチ位置を検出する。
【０１７２】
ノイズ低減フィルタは、アンテナパターンにより、第１電極パターンもしくは第２電極パターンに発生するノイズを低減する。
【０１７３】
このタッチパネル用デバイスでは、コントローラが、ノイズ低減フィルタを備えているので、アンテナパターンから、第１電極パターン、および／または、第２電極パターンに誘発されるノイズを低減させることができる。
【０１７４】
第３の発明は、第１または第２の発明であって、ノイズ低減フィルタは、アンテナパターンから発生するノイズの周波数に基づいて決定された回路定数により周波数特性が決定されたフィルタである。
【０１７５】
これにより、このタッチパネル用デバイスでは、アンテナパターンから発生するノイズを効果的に低減させることができる。
【０１７６】
第４の発明は、第１から第３のいずれかの発明であって、ノイズ低減フィルタは、平面視において、アンテナパターンと平行な位置に設置されている電極パターンを含む第１電極パターンまたは第２電極パターンから取得されたセンス信号に対して、ノイズ低減フィルタ処理を実行する。
【０１７７】
これにより、このタッチパネル用デバイスでは、アンテナが作動するときに、アンテナ（アンテナパターン）からタッチセンサー（タッチパネル用の電極である第１電極パターンまたは第２電極パターン）に誘発されるノイズを適切に低減することができる。
【０１７８】
第５の発明は、第１から第３のいずれかの発明であって、ノイズ低減フィルタは、平面視において、アンテナパターンと平行な位置であり、かつ、アンテナパターンと隣接する位置に、設置されている電極パターンを含む第１電極パターンまたは第２電極パターンから取得されたセンス信号に対して、ノイズ低減フィルタ処理を実行する。
【０１７９】
これにより、このタッチパネル用デバイスでは、アンテナが作動するときに、アンテナ（アンテナパターン）からタッチセンサー（タッチパネル用の電極である第１電極パターンまたは第２電極パターン）に誘発されるノイズを適切に低減することができる。
【０１８０】
第６の発明は、第２の発明であって、ノイズ低減フィルタは、選択信号に応じて、入力に対して、（１）ノイズ低減処理を実行し、ノイズ低減処理後の信号を出力するか、（２）ノイズ低減処理を実行せずに、入力を出力するか、のいずれかの処理を選択して実行するスイッチ機能付きノイズ低減フィルタである。
【０１８１】
これにより、このタッチパネル用デバイスでは、スイッチ機能付きノイズ低減フィルタを用いて、ノイズ低減フィルタを実現することができる。
【０１８２】
第７の発明は、第６の発明であって、第１電極パターンは、センス電極として機能する電極パターンである。第１電極パターンには、複数のセンス線が接続されている。
【０１８３】
スイッチ機能付きノイズ低減フィルタは、複数のセンス線のそれぞれに、接続されている。
【０１８４】
これにより、このタッチパネル用デバイスでは、複数のセンス線のそれぞれに、スイッチ機能付きノイズ低減フィルタを挿入することができる。
【０１８５】
第８の発明は、第７の発明であって、コントローラは、アンテナパターンと平行な位置であり、かつ、アンテナパターンと隣接する位置に、設置されている電極パターンを含む第１電極パターンに接続されているセンス線に接続されているスイッチ機能付きノイズ低減フィルタに対して、入力に対して、ノイズ低減処理を実行し、ノイズ低減処理後の信号を出力するように指示する選択信号を出力する。
【０１８６】
これにより、このタッチパネル用デバイスでは、コントローラにより、スイッチ機能付きノイズ低減フィルタのＯＮ／ＯＦＦ制御を行うことができる。
【０１８７】
第９の発明は、第６の発明であって、第２電極パターンは、センス電極として機能する電極パターンである。第２電極パターンには、複数のセンス線が接続されている。
【０１８８】
スイッチ機能付きノイズ低減フィルタは、複数のセンス線のそれぞれに、接続されている。
【０１８９】
これにより、このタッチパネル用デバイスでは、複数のセンス線のそれぞれに、スイッチ機能付きノイズ低減フィルタを挿入することができる。
【０１９０】
第１０の発明は、第９の発明であって、コントローラは、アンテナパターンと平行な位置であり、かつ、アンテナパターンと隣接する位置に、設置されている電極パターンを含む第２電極パターンに接続されているセンス線に接続されているスイッチ機能付きノイズ低減フィルタに対して、入力に対して、ノイズ低減処理を実行し、ノイズ低減処理後の信号を出力するように指示する選択信号を出力する。
【０１９１】
これにより、このタッチパネル用デバイスでは、コントローラにより、スイッチ機能付きノイズ低減フィルタのＯＮ／ＯＦＦ制御を行うことができる。
【産業上の利用可能性】
【０１９２】
本発明は、アンテナが作動するときに、アンテナからタッチセンサー（タッチパネル用電極）に誘発されるノイズを適切に低減することができるので、タッチパネル関連産業分野において、有用であり、当該分野において実施することができる。
【符号の説明】
【０１９３】
１００  タッチパネル付き表示装置（タッチパネル用デバイス）。
１  筐体
２  回路部
２１  整合部
２２  アンテナ駆動部
ＤＰ  表示パネル
ＮＲ１、ＮＲ２、ＮＲ３、  ノイズ低減フィルタ
ＮＳ１〜ＮＳ１４  スイッチ付きノイズ低減フィルタ
ＳＥＬ１  セレクタ
ＴＣ１、ＴＣ１Ａ、ＴＣ１Ｂ、ＴＣ１Ｃ  タッチパネルコントローラ
ＴＣ１１  センス信号検出回路
ＴＣ１２  駆動回路
ＴＣ１３  ドライブ／センス切替回路
Ｌ＿Ｙ＿Ａｎｔ  共存導電層
Ｌ＿Ｘ  Ｘ軸方向電極層
Ａｎｔ＿ｐ１  アンテナパターン
【図１】
2017097504.tif 000003
【図２】
2017097504.tif 000004
【図３】
2017097504.tif 000005
【図４】
2017097504.tif 000006
【図５】
2017097504.tif 000007
【図６】
2017097504.tif 000008
【図７】
2017097504.tif 000009
【図８】
2017097504.tif 000010
【図９】
2017097504.tif 000011
【図１０】
2017097504.tif 000012
【図１１】
2017097504.tif 000013
【図１２】
2017097504.tif 000014
【図１３】
2017097504.tif 000015
【図１４】
2017097504.tif 000016
【図１５】
2017097504.tif 000017
【図１６】
2017097504.tif 000018
【図１７】
2017097504.tif 000019
【図１８】
2017097504.tif 000020
【図１９】
2017097504.tif 000021